(57)【要約】【課題】  アクセスポイント側からデータを送信した場合でも、正常に通信できるようにすることを目的とする。【解決手段】  複数のアクセスポイント２０が接続されてなる無線ＬＡＮシステムにおいて、アクセスポイント２０が、リング状に、スパニングツリーで接続されている。また、接続線の数が一芯又は二芯である。インターフェースは１００Ｂａｓｅ−ＦＸである。アクセスポイント２０は、管理サーバとしてのローミングサーバ１０が備えるマネージメントサーバ１１と連動している。規格はＩＥＥＥ８０２．１１ｂ又はＩＥＥＥ８０２．１１ａである。【選択図】  図１
2005286779.tif 000002
【特許請求の範囲】
【請求項１】
複数のアクセスポイントが接続されてなる無線ＬＡＮシステムにおいて、
当該アクセスポイントが、リング状に、スパニングツリーで接続されていることを特徴とする無線ＬＡＮシステム。
【請求項２】
接続線の数が一芯であることを特徴とする請求項１記載の無線ＬＡＮシステム。
【請求項３】
接続線の数が二芯であることを特徴とする請求項１記載の無線ＬＡＮシステム。
【請求項４】
インターフェースが１００Ｂａｓｅ−ＦＸであることを特徴とする請求項１から３のいずれか１項記載の無線ＬＡＮシステム。
【請求項５】
インターフェースが１００Ｂａｓｅ−ＴＸであることを特徴とする請求項１から３のいずれか１項記載の無線ＬＡＮシステム。
【請求項６】
前記アクセスポイントは、管理サーバとしてのローミングサーバが備えるマネージメントサーバと連動していることを特徴とする請求項１から５のいずれか１項記載の無線ＬＡＮシステム。
【請求項７】
規格がＩＥＥＥ８０２．１１ｂであることを特徴とする請求項１から６のいずれか１項記載の無線ＬＡＮシステム。
【請求項８】
規格がＩＥＥＥ８０２．１１ａであることを特徴とする請求項１から６のいずれか１項記載の無線ＬＡＮシステム。
【発明の詳細な説明】
【技術分野】
【０００１】
本発明は、無線ＬＡＮシステムに関し、特に、通信障害を回避できる無線ＬＡＮシステムに関する。
【背景技術】
【０００２】
従来、基本的にＬ２／Ｌ３ＳＷとアクセスポイントは一対一の対応で接続されてサービスが提供されていた。
【０００３】
特許文献１には、ネットワークに接続される第１及び第２の接続部と、第１及び第２の接続部間を通信可能にする通信路と、第１及び第２の接続部間の通信路を通信可能状態，通信不可状態に切り換える切換手段と、ネットワークの状態を検出しネットワークの状態が正常である場合には切換手段により通信路を通信不可状態にし、ネットワークで障害が発生した場合には切換手段により通信路を通信可能状態にし通信路を介してネットワークの通信がなされるようにする制御手段とを備えているスパニングツリー装置が開示されている。
【特許文献１】特開２００２−３６８７７１号公報
【発明の開示】
【発明が解決しようとする課題】
【０００４】
しかしながら、上記の従来技術では、スパニングツリー装置で通信経路の状態を検出し通信経路の選択を行なっていたため、アクセスポイント側からデータを送信した場合のことは想定されていなかった。
【０００５】
そのため、アクセスポイント側からデータを送信した場合は、従来同様の通信障害を起こしている箇所を避けて通信することができなかった。
【０００６】
そこで、本発明は、アクセスポイント側からデータを送信した場合でも、正常に通信できるようにすることを目的とする。
【課題を解決するための手段】
【０００７】
本発明は、上記課題を解決するための手段として、複数のアクセスポイントが接続されてなる無線ＬＡＮシステムにおいて、当該アクセスポイントが、リング状に、スパニングツリーで接続されていることを特徴とする。
【０００８】
また、本発明は、接続線の数が一芯であることを特徴とする。
【０００９】
また、本発明は、接続線の数が二芯であることを特徴とする。
【００１０】
また、本発明は、インターフェースが１００Ｂａｓｅ−ＦＸであることを特徴とする。
【００１１】
また、本発明は、インターフェースが１００Ｂａｓｅ−ＴＸであることを特徴とする。
【００１２】
また、本発明は、前記アクセスポイントは、管理サーバとしてのローミングサーバが備えるマネージメントサーバと連動していることを特徴とする。
【００１３】
また、本発明は、規格がＩＥＥＥ８０２．１１ｂであることを特徴とする。
【００１４】
また、本発明は、規格がＩＥＥＥ８０２．１１ａであることを特徴とする。
【発明の効果】
【００１５】
本発明によれば、アクセスポイントをスパニングツリーで接続し、アクセスポイント側から通信経路を選択する構成にしたので、アクセスポイント２０間のネットワークのどこかが通信不能な状態になっていたとしても、逆の経路で通信することが可能となる。そのため、アクセスポイント側からデータを送信した場合でも、正常に通信できるようになった。
【００１６】
また、本発明によれば、リング状にスパニングツリープロトコルを利用することにより、安価に冗長性を構築することが可能となる。
【００１７】
また、本発明によれば、１００Ｂａｓｅ−Ｆｘを用いているので、非常に高速で拡張性に富んだネットワークを構築することが可能となった。
【００１８】
また、本発明によれば、リング状に構成しているので、Ｌ２／Ｌ３ＳＷのポート効率を向上させることが可能となった。
【００１９】
また、本発明によれば、それぞれのアクセスポイント及びスイッチにＱｏｓ機能を持たせているので、帯域を有効に利用することが可能となった。
【００２０】
また、本発明によれば、リング状に配線が構成されているので、光ファイバーの敷設コストが一対一接続に比べ、格段に安価することが可能となった。
【発明を実施するための最良の形態】
【００２１】
以下、添付図面を参照して本発明を実施するための最良の実施の形態を説明する。
【００２２】
［構成の説明］
図１は、本発明の第１の実施の形態の構成を示すブロック図である。
【００２３】
図１に示すように、本実施の形態は、複数のアクセスポイント２０がリング状に接続され、両端がローミングサーバ１０に接続される構成となっている。
【００２４】
本実施の形態は、規格が１００Ｂａｓｅ−ＦＸの無線ＬＡＮであり、接続線が一芯となっている。
【００２５】
アクセスポイント２０は、無線通信端末３０からのダイヤルアップ接続などの方法で無線通信端末３０と接続される。
【００２６】
ローミングサーバ１０は、マネージメントサーバ１１と、Ｌ３ＳＷ又はルータ１２と、Ｌ２／３ＳＷ１３と、Ｌ２／３ＳＷ１４と、を備えている。
【００２７】
マネージメントサーバ１１は、ハンドオーバー／ローミングサーバである。
【００２８】
本実施の形態では、リング状のネットワークにすることにより、アクセスポイント２０の状況を確認する（アクセスポイント２０から状況をレポートさせる）必要性が高くなるため、マネージメントサーバと呼ぶ。
【００２９】
Ｌ３ＳＷ１２は、Ｌａｙｅｒ３スイッチのことで、ネットワーク中継機器の一つのことをいう。
【００３０】
Ｌ３ＳＷ１２は、ＯＳＩ参照モデルのネットワーク層（第３層）のデータでパケットの行き先を判断して転送を行なうものである。ネットワーク層のプロトコルとしては使われるのはＩＰがほとんどであるため、Ｌ３ＳＷの多くもＩＰの情報や機能を利用して経路制御を行なう。Ｌ３ＳＷは、ＩＰアドレスによる経路制御、ルーティング機能（ＲＩＰ、ＯＳＰＦ及びＢＧＦなど）を使用して、パケットを目的のＩＰアドレスに対応する出力ポートに転送する。
【００３１】
ルータ１２は、一般的なルータで、ＯＳＩ参照モデルでいうネットワーク層(第３層)やトランスポート層(第４層)の一部のプロトコルを解析して転送を行ない、ネットワーク層のアドレスを見て、どの経路を通して転送すべきかを判断する経路選択機能を有する。
【００３２】
Ｌ２／３ＳＷ１３及びＬ２／３ＳＷ１４は、上記したＬ３ＳＷと後記するＬ２ＳＷと両方の機能を果たすことが可能なスイッチである。
【００３３】
図２は、アクセスポイント２０の構成を示すブロック図である。
【００３４】
アクセスポイント２０は、電源２１と、拡張スロット２２と、Ｌ２ＳＷ２３と、メディアコンバータ２４と、メディアコンバータ２５と、を備えている。
【００３５】
アクセスポイント２０は、端子の接続口を２ポート保有しており、規格は１００Ｂａｓｅ−Ｆｘである。
【００３６】
本実施の形態のアクセスポイント２０は、マネージメントサーバ１１と連動しており、各アクセスポイント２０は、隣接するアクセスポイント２０と間で状態確認を一定時間で行なっており、その結果は、マネージメントサーバ１１に送付される。そして、各アクセスポイント２０をホットスポット的に使用した場合に、ハンドオーバー及びローミングをより的確に行なう。
【００３７】
本実施の形態のアクセスポイント２０は、ＩＥＥＥ８０２．１１ｂを使用する。その場合、最大１１Ｍｂｐｓの通信ができる。また、ＩＥＥＥ８０２．１１ａを用いれば、最大５０Ｍｂｐｓの通信が可能となる（基本的に屋内）。ただし、ＩＥＥＥ８０２．１１ａの場合、帯域を有効利用するために、各アクセスポイントのクレジット又はストリクトＱｏｓ機能を用いて、帯域を有効に使用することが前提となる。
【００３８】
電源２１は、アクセスポイント２０の各部に電力を供給する。
【００３９】
拡張スロット２２は、ＷＬＡＮアクセスポイント２２ａを備えており、ＷＬＡＮアクセスポイント２２ａで、Ｌ２／３ＳＷ１３及びＬ２／３ＳＷ１４のいずれを介して通信を行なえばよいか判断する。
【００４０】
Ｌ２ＳＷ２３は、Ｌａｙｅｒ２スイッチのことで、ネットワーク中継機器の一つである。ＯＳＩ参照モデルのデータリンク層（第２層）のデータでパケットの行き先を判断して転送を行なう。データリンク層のプロトコルには、メディアアクセス制御（ＭＡＣ）があり、ＭＡＣアドレスを参照してデータの行き先を決定している。
【００４１】
本実施の形態のＬ２ＳＷ２３は、スパニングツリープロトコルを備えている。
【００４２】
メディアコンバータ２４及び２５は、伝送媒体変換手段のことで、伝送媒体を、例えば、光ファイバから銅線ケーブルに変換するもののことで、本実施の形態では、光／電気変換するもののことを想定している。
【００４３】
また、無線通信端末３０は、無線ＬＡＮやＢｌｕｅｔｈｏｏｔｈなどの通信端末である。
【００４４】
本実施の形態では、上記のアクセスポイント２０がリング状に、スパニングツリーで接続される構成となっている。
【００４５】
スパニングツリーとは、ループ（円環）状に形成されたネットワーク内で、データが永遠に循環することを防止するための制御方法の一つのことをいう。ＩＥＥＥ８０２．１ｄとして標準化されている。与えられた優先順位をもとに、ブリッジ間でＢＰＤＵ（Ｂｒｉｄｇｅ  Ｐｒｏｔｏｃｏｌ  Ｄａｔａ  Ｕｎｉｔ）と呼ばれる制御情報をやり取りして、普段使う経路を一つ設定し、それ以外の経路は障害時の迂回経路として設定する。
【００４６】
このようにすることによって、物理的にループを形成しているネットワークであっても、データがループの中を巡り続ける事態を防ぐことができる。ネットワークを組みなおしてループを解消するのに比べ、ブリッジを対応した機種に置き換えるだけで済むうえに、障害時に迂回経路が確保できるため、大規模なネットワークを構築する場合はスパニングツリーを構成するほうがよいとされている。本実施の形態は、大規模ＷＬＡＮ構築に適している。
【００４７】
本実施の形態では、接続線の数が一芯となっているが二芯としてもよい。
【００４８】
［動作の説明］
図３は、本実施の形態の動作を示すフローチャートである。
【００４９】
まず、無線通信端末３０は、いずれかのアクセスポイント２０のＷＬＡＮアクセスポイント２２ａを介してＬ２ＳＷ２３にデータを送る（ステップＳ１）。
【００５０】
次いで、ＷＬＡＮアクセスポイント２２ａのアクセスポイント２０は、Ｌ２／３ＳＷ１３及びＬ２／３ＳＷ１４のいずれを介してデータを送ればよいかを判断し（ステップＳ２）、この判断の結果に従って、メディアコンバータ２４及びメディアコンバータ２５のいずれを介してデータを送るか決定し（ステップＳ３）、データを送る（ステップＳ４）。
【００５１】
Ｌ２ＳＷ２３から送られたデータは、メディアコンバータ２４及びメディアコンバータ２５のいずれかで電気信号から光信号に変換され（ステップＳ５）、一芯の光ファイバーでＬ２／３ＳＷ１３又はＬ２／３ＳＷ１４に送られ（ステップＳ６）、Ｌ３ＳＷ又はルータ１２を介して不図示のネットワークに送られ、通信する（ステップＳ７）。
【００５２】
上記したように、本実施の形態によれば、アクセスポイント２０がスパニングツリーで接続されているので、アクセスポイント２０間のネットワークのどこかが通信不能な状態になっていたとしても、逆の経路で通信することが可能となる。
【００５３】
［他の実施の形態］
本発明の他の実施の形態として、ネットワークに使用するインターフェースを、１００Ｂａｓｅ−ＴＸといった他のインターフェースにしてもよい。
【００５４】
その際、ネットワークの規模と、帯域のレベルには注意しなくてはいけない。
【図面の簡単な説明】
【００５５】
【図１】本発明の第１の実施の形態のネットワークシステムの構成を示すブロック図である。
【図２】本発明の第１の実施の形態のアクセスポイント２０の構成を示すブロック図である。
【図３】本発明の第１の実施の形態の動作を示すフローチャートである。
【符号の説明】
【００５６】
１０  ローミングサーバ
１１  マネージメントサーバ
１２  Ｌ３ＳＷ／ルータ
１３  Ｌ２／３ＳＷ
１４  Ｌ２／３ＳＷ
２０  アクセスポイント
２１  電源
２２  拡張スロット
２２ａ  ＷＬＡＮアクセスポイント
２３  Ｌ２ＳＷ
２４  メディアコンバータ
２５  メディアコンバータ
３０  無線通信端末
【図１】
2005286779.tif 000003
【図２】
2005286779.tif 000004
【図３】
2005286779.tif 000005